(57)【要約】【課題】カメラ装置の取り付け方向を調整するときに、車両の乗員が必要な範囲で変動した際でも顔位置が画角内に収まるか否かを確認できるようにする。【解決手段】凸面鏡３１の表面にカメラ装置２０の画角に相当する画角相当範囲５０を示したガイド線４０を描く。凸面鏡３１の裏面には、カメラ装置２０の筐体２１の形状に合った形状の凹部を有した裏側構造体３２が設けられる。その裏側構造体３２の凹部を筐体２１の前面２１１に嵌める形で凸面鏡３１及び裏側構造体３２で構成されたカメラ装置用器具３０をカメラ装置２０に装着する。このとき、カメラレンズ２２の前の位置でレンズ面２２１に対して傾きの無い状態で画角相当範囲５０が配置される。これによって、画角相当範囲５０にカメラ装置２０の現在の撮影領域を写すことができる。ユーザは自身の顔が画角相当範囲５０に収まっているか否かを確認する。【選択図】図４
2013095195.tif 000002
【特許請求の範囲】
【請求項１】
車両の乗員の顔を撮影するカメラ装置の取り付け方向を調整するときに使用するカメラ装置用器具であって、
前記カメラ装置の画角に相当する画角相当範囲を示したガイド線が表面に表示された鏡を備え、
現在の取り付け方向における前記カメラ装置の画角内の領域が前記鏡の前記画角相当範囲に写る適正配置位置に前記鏡が配置されるように前記カメラ装置に装着可能であり、かつ前記カメラ装置から取り外し可能であることを特徴とするカメラ装置用器具。
【請求項２】
前記鏡は凸面鏡であることを特徴とする請求項１に記載のカメラ装置用器具。
【請求項３】
前記画角相当範囲は、前記凸面鏡の表面の中心に前記画角相当範囲の中心がくるように、前記凸面鏡の表面に表示されており、
前記適正配置位置は、前記カメラ装置の光軸と前記凸面鏡の中心軸とが同軸になる位置であることを特徴とする請求項２に記載のカメラ装置用器具。
【請求項４】
前記適正配置位置は、前記画角相当範囲が、前記カメラ装置のカメラレンズの前で前記カメラレンズのレンズ面に対して傾きの無い状態で配置される位置であることを特徴とする請求項１〜３のいずれか１項に記載のカメラ装置用器具。
【請求項５】
前記ガイド線は、前記カメラ装置の水平画角に相当する水平ガイド線及び前記カメラ装置の垂直画角に相当する垂直ガイド線を含み、
前記適正配置位置は、前記水平ガイド線が水平方向に配置され、前記垂直ガイド線が垂直方向に配置される位置であることを特徴とする請求項３又は４に記載のカメラ装置用器具。
【請求項６】
前記画角相当範囲は、前記カメラ装置と乗員の顔との距離及び前記カメラ装置の画角によって定まる面に相当する範囲であることを特徴とする請求項１〜５のいずれか１項に記載のカメラ装置用器具。
【請求項７】
前記鏡の表面には、前記距離が大きくなるほど前記画角相当範囲が大きくなる前記距離ごとの複数の前記ガイド線が表示されたことを特徴とする請求項６に記載のカメラ装置用器具。
【請求項８】
前記カメラ装置用器具は粘着部材による粘着によって前記カメラ装置に装着可能であることを特徴とする請求項１〜７のいずれか１項に記載のカメラ装置用器具。
【請求項９】
前記鏡の裏面に設けられて前記鏡を補強する補強部材を備えることを特徴とする請求項１〜８のいずれか１項に記載のカメラ装置用器具。
【請求項１０】
前記カメラ装置用器具は前記補強部材を介して前記カメラ装置に装着可能とされ、
前記補強部材は発泡樹脂で形成されていることを特徴とする請求項９に記載のカメラ装置用器具。
【請求項１１】
前記鏡の裏面に設けられ、前記鏡が前記適正配置位置に配置されるように前記カメラ装置への前記カメラ装置用器具の装着位置をガイドするガイド部を備えることを特徴とする請求項１〜１０のいずれか１項に記載のカメラ装置用器具。
【請求項１２】
前記ガイド部は、前記鏡が前記適正配置位置に配置された状態で前記カメラ装置の筐体に掛止する掛止部を含むことを特徴とする請求項１１に記載のカメラ装置用器具。
【請求項１３】
前記ガイド部は、前記カメラ装置の所定の基準位置との位置合わせ用の裏面側ガイド線を含み、前記基準位置と前記裏面側ガイド線との位置が合った状態で前記鏡が前記適正配置位置に配置されることを特徴とする請求項１１又は１２に記載のカメラ装置用器具。
【発明の詳細な説明】
【技術分野】
【０００１】
本発明は、車両の乗員の顔を撮影するカメラ装置の取り付け方向を調整するときに使用するカメラ装置用器具に関する。
【背景技術】
【０００２】
従来、車両の運転者（乗員）の顔をカメラ装置で撮影し、その撮影画像に基づいて運転者の瞬きや顔向きを検出するシステムが知られている。そのシステムにおいては、被写体となる乗員の顔がカメラ装置の撮影画角内に収まるようにそのカメラ装置の取り付け方向が調整されている必要がある。車両に標準装備される場合など、カメラ装置の取り付け方向が適切になるように考慮された取り付け構造が予め車両に用意されている場合には特段の調整は必要ないが、アフターマーケット品など任意の場所にカメラ装置を取り付ける場合においては、その取り付けの際にカメラ装置の取り付け方向を調整する必要がある。
【０００３】
カメラ装置の取り付け方向の調整に関連する技術として、従来、被写体をカメラ装置の光軸に一致させる技術が提案されている（例えば特許文献１、２参照）。例えば特許文献１のカメラ装置では、カメラ装置の筐体に、レンズ（カメラ装置）の光軸に対して平行な中心軸を有する貫通孔が開けられている。これによれば、運転者は、その貫通孔の向こう側の景色が見通せるようにカメラ装置の位置を調整することにより、光軸を運転者自身の眼球又は瞼付近の位置に一致させることができるとしている。
【０００４】
また、特許文献２には、カメラ撮影者が自身を撮影する際に、自身と他の被写体との構図を目視で確認できるようにするために、カメラのレンズ取り付け面のいずれかの場所に凸面鏡を配置することが記載されている。この特許文献２の技術を適用すれば、凸面鏡に乗員の顔が写るようにカメラ装置の取り付け方向を調整することで、顔位置をカメラ装置の光軸にほぼ一致させることができる。
【先行技術文献】
【特許文献】
【０００５】
【特許文献１】特開２００８−２４０８５号公報
【特許文献２】登録実用新案第３１４６９３９号公報
【発明の概要】
【発明が解決しようとする課題】
【０００６】
ところで、車両の乗員の顔の位置は運転中に変動することがある。具体的には例えば、トラックやバスなどの大型車ではハンドルが大きいので、その運転者は、ハンドルを回す際に手の動きにともなって顔も動かすことがある。このような場合、カメラ装置の取り付け時には、乗員の顔がカメラ装置の画角内に収まっていたとしても、実際のカメラ装置の使用時には、乗員の顔が画角から外れてしまうことも起こり得る。このように、カメラ装置を車両に取り付ける際には、カメラ装置の使用時における顔の位置の変動（運転者の運転動作）を見越して、カメラ装置の取り付け方向を調整する必要がある。
【０００７】
この点、特許文献１の技術では、カメラ装置の光軸の正面に顔が位置している場合には顔が画角内に収まることを目視で確認できるが、運転動作に伴って顔位置が変動する場合等、必要な範囲で顔位置が変動する場合には、顔が画角内に収まるか否かは確認できない。つまり、特許文献１の技術では、静的な条件での光軸調整は可能であるが、実用上発生する動的な条件で、カメラ装置の取り付け方向が適正に調整されているかは確認できない。また、同様に、特許文献２の技術も、凸面鏡の鏡面から顔位置が外れて必要な範囲で顔位置が変動する場合には、顔が画角内に収まるか否かは確認できない。
【０００８】
本発明は、上記事情に鑑みてなされ、カメラ装置の取り付け方向を調整するときに、車両の乗員が必要な範囲で変動した際でも顔位置が画角内に収まるか否かを確認できるカメラ装置用器具を提供することを課題とする。
【課題を解決するための手段】
【０００９】
上記課題を解決するために、本発明は、車両の乗員の顔を撮影するカメラ装置の取り付け方向を調整するときに使用するカメラ装置用器具であって、
前記カメラ装置の画角に相当する画角相当範囲を示したガイド線が表面に表示された鏡を備え、
現在の取り付け方向における前記カメラ装置の画角内の領域が前記鏡の前記画角相当範囲に写る適正配置位置に前記鏡が配置されるように前記カメラ装置に装着可能であり、かつ前記カメラ装置から取り外し可能であることを特徴とする。
【００１０】
これによれば、本発明のカメラ装置用器具を、鏡が適正配置位置に配置されるようにカメラ装置に装着することで、鏡の表面に表示されたガイド線で示される画角相当範囲に、現在の取り付け方向におけるカメラ装置の画角内の領域を写すことができる。よって、カメラ装置の取り付け方向を調整するユーザ（乗員自身やカメラ装置を車両に取り付けるカー用品店等の店員）が被写体となることで、そのユーザの顔が、画角相当範囲に写っているか否か、つまりカメラ装置の画角内に収まるか否かを確認できる。また、ユーザは、実際のカメラ装置使用時の動作を行うことで、その動作にともなって顔位置が変動した場合であっても顔が画角相当範囲から外れないか否か、つまりカメラ装置の画角から外れないか否かを容易に確認できる。そして、鏡の画角相当範囲から顔が外れないようにカメラ装置の取り付け方向を調整することで、カメラ装置の取り付け方向を適正にできる。また、本発明のカメラ装置用器具は、カメラ装置から取り外し可能となっているので、カメラ装置の取り付け方向を調整し終えた後にカメラ装置用器具を取り外すことで、カメラ装置を実際の撮影用途で使用することができる。
【００１１】
また、本発明における前記鏡は凸面鏡であることを特徴とする。これによれば、凸面鏡の表面に表示する画角相当範囲の大きさを、実際の画角（撮影領域）の大きさから縮小できるので、カメラ装置用器具（凸面鏡）の取り扱いを容易にできる。
【００１２】
また、本発明において、前記画角相当範囲は、前記凸面鏡の表面の中心に前記画角相当範囲の中心がくるように、前記凸面鏡の表面に表示されており、前記適正配置位置は、前記カメラ装置の光軸と前記凸面鏡の中心軸とが同軸になる位置であることを特徴とする。これによって、鏡を適正配置位置に配置したときに、画角相当範囲に、現在の取り付け方向におけるカメラ装置の画角内の領域を正確に写すことができる。
【００１３】
また、本発明において、前記適正配置位置は、前記画角相当範囲が、前記カメラ装置のカメラレンズの前で前記カメラレンズのレンズ面に対して傾きの無い状態で配置される位置であることを特徴とする。これによれば、カメラレンズの位置や向き（レンズ面に対する傾き）は、カメラ装置の光軸の位置や向きと考えることができる。よって、画角相当範囲が、カメラレンズの前でレンズ面に対して傾きの無い状態で配置されるようにすることで、簡単に、画角相当範囲とカメラ装置の光軸とを合わせることができ、その結果、画角相当範囲に、現在の取り付け方向におけるカメラ装置の画角内の領域を写すことができる。
【００１４】
また、本発明において、前記ガイド線は、前記カメラ装置の水平画角に相当する水平ガイド線及び前記カメラ装置の垂直画角に相当する垂直ガイド線を含み、前記適正配置位置は、前記水平ガイド線が水平方向に配置され、前記垂直ガイド線が垂直方向に配置される位置であることを特徴とする。これによって、カメラ装置用器具をカメラ装置に装着したときに、鏡の画角相当範囲を、カメラ装置の画角（水平画角及び垂直画角）に正確に対応させることができる。
【００１５】
また、本発明において、前記画角相当範囲は、前記カメラ装置と乗員の顔との距離及び前記カメラ装置の画角によって定まる面に相当する範囲であることを特徴とする。
【００１６】
カメラ装置と乗員の顔との距離によって、その乗員の顔の画角内への収まりやすさが変わってくる。具体的には、カメラ装置と乗員の顔の距離が大きくなるほど、その乗員の顔の位置における画角の面（カメラ装置と乗員の顔の距離及びカメラ装置の画角によって定まる面）が大きくなるので、顔は画角内に収まりやすくなる。別の言い方をすると、カメラ装置と乗員の顔の距離が大きくなるほど、顔は撮影画像に小さく写るので、顔は画角内（撮影画像）に収まりやすくなる。本発明によれば、画角相当範囲はカメラ装置と乗員の顔の距離及びカメラ装置の画角によって定まる面に相当する範囲としているので、顔が画角内に収まるか否かを正確に判断できる。
【００１７】
また、本発明において、前記鏡の表面には、前記距離が大きくなるほど前記画角相当範囲が大きくなる前記距離ごとの複数の前記ガイド線が表示されたことを特徴とする。
【００１８】
カメラ装置を取り付ける車両の種類や、車両のどの位置に取り付けるかによって、カメラ装置と乗員の顔との距離が変わってくる場合がある。本発明によれば、カメラ装置と乗員の顔との距離ごとの複数のガイド線が鏡に表示されているので、今回の距離に応じたガイド線を使用することで、顔が画角内に収まるか否かを正確に判断できる。
【００１９】
また、本発明において、前記カメラ装置用器具は粘着部材による粘着によって前記カメラ装置に装着可能であることを特徴とする。これによって、簡単に、カメラ装置用器具をカメラ装置に装着できるとともに、カメラ装置からカメラ装置用器具を取り外すことができる。
【００２０】
また、本発明において、前記鏡の裏面に設けられて前記鏡を補強する補強部材を備えることを特徴とする。これによれば、鏡を補強することができるので、強度の弱い材料で鏡が形成されていたとしても、鏡の強度不足を解消できる。
【００２１】
また、本発明において、前記カメラ装置用器具は前記補強部材を介して前記カメラ装置に装着可能とされ、前記補強部材は発泡樹脂で形成されていることを特徴とする。これによれば、発泡樹脂はある程度の硬さを有しているので、鏡を効果的に補強できる。また、発泡樹脂は硬すぎることもなく、また軽いので、発泡樹脂を介してカメラ装置用器具をカメラ装置に装着したときに、カメラ装置が傷つくのを防止できる。
【００２２】
また、本発明において、前記鏡の裏面に設けられ、前記鏡が前記適正配置位置に配置されるように前記カメラ装置への前記カメラ装置用器具の装着位置をガイドするガイド部を備えることを特徴とする。これによって、簡単に、鏡が適正配置位置に配置されるようにカメラ装置用器具をカメラ装置に装着できる。
【００２３】
また、本発明において、前記ガイド部は、前記鏡が前記適正配置位置に配置された状態で前記カメラ装置の筐体に掛止する掛止部を含むことを特徴とする。これによれば、カメラ装置の筐体に掛止部が掛止する位置で、カメラ装置用器具をカメラ装置に装着することで、鏡を簡単に適正配置位置に配置させることができる。
【００２４】
また、本発明において、前記ガイド部は、前記カメラ装置の所定の基準位置との位置合わせ用の裏面側ガイド線を含み、前記基準位置と前記裏面側ガイド線との位置が合った状態で前記鏡が前記適正配置位置に配置されることを特徴とする。これによれば、裏面側ガイド線をカメラ装置の基準位置に位置合わせすることで、鏡を簡単に適正配置位置に配置させることができる。
【図面の簡単な説明】
【００２５】
【図１】カメラ装置２０の斜視図及びカメラ装置２０の画角７０を示した図である。
【図２】カメラ装置用器具３０の構造を示した図である。
【図３】カメラ装置２０の取り付け位置を説明する図である。
【図４】カメラ装置用器具３０のカメラ装置２０への装着方法や装着位置を説明する図である。
【図５】ユーザの顔１０５が凸面鏡３１に写っている状態を示した図である。
【図６】凸面鏡に裏面に設けられる裏側構造体の変形例を示した図である。
【図７】凸面鏡に裏面に設けられる裏側構造体の別の変形例を示した図である。
【発明を実施するための形態】
【００２６】
以下、本発明に係るカメラ装置用器具の実施形態を説明する。先ず、カメラ装置用器具の装着対象となるカメラ装置について説明する。図１は、カメラ装置２０の斜視図及びカメラ装置２０の画角７０を示している。カメラ装置２０は、車両の運転者の顔を撮影するカメラとされ、筐体２１と、その筐体２１の前面２１１の中央に配置されたカメラレンズ２２と、筐体２１に収容されカメラレンズ２２によって結像された被写体の像を画像データに変換するＣＣＤセンサ等の撮像素子（図示外）とを有する。カメラ装置２０は、カメラレンズ２２や撮像素子等の特性（カメラレンズ２２の焦点距離や撮像素子（撮像面）の寸法など）によって定められる画角７０内の撮影領域７１を撮影する。なお、本実施形態の筐体２１は、１辺が数ｃｍ程度の直方体状（正面視で横長の長方形状）となっている。
【００２７】
筐体２１の前面２１１には、撮影領域７１に近赤外光を照射する近赤外ＬＥＤ２３が設けられている。その近赤外ＬＥＤ２３によって、カメラ装置２０は、夜などの周囲が暗い場合でも撮影可能とされている。また、筐体２１には、露光制御を行ったり、近赤外ＬＥＤ２３の発光を制御したりして撮影を制御する制御部（図示外）が収容されている。その制御部は、撮影の制御に加えて、撮影した撮影画像から顔領域を検出して、その顔領域に基づいて運転者の顔向きや運転者の瞬き等を判定する処理も行う。そして、制御部は、顔向きや瞬き等の判定結果に応じた処理（警告など）を行う。
【００２８】
次に、本発明のカメラ装置用器具について説明する。図２は、カメラ装置用器具３０の構造を示した図であり、詳細には、図２（Ａ）はカメラ装置用器具３０を斜め前方から見た図を示しており、図２（Ｂ）はカメラ装置用器具３０の正面図を示しており、図２（Ｃ）はカメラ装置用器具３０を斜め後方から見た図を示している。カメラ装置用器具３０は、凸面鏡３１と、その凸面鏡３１の裏面に設けられた裏側構造体３２とを備えている。
【００２９】
凸面鏡３１は、樹脂（ＡＢＳ樹脂等）、樹脂フィルム、紙、ガラス、金属などで形成された基材３１２と、その基材３１２の表面全領域を蒸着、印刷又はめっきによって膜状に被覆した反射部３１１とから構成されている。その反射部３１１は、光を反射する反射素材（アルミニウム、銀など）で形成されている。凸面鏡３１は薄板状となっている。また、凸面鏡３１を正面から見ると、長方形状になっている（図２（Ｂ）参照）。凸面鏡３１の表面３１３（鏡面、反射部３１１）は、凸面鏡３１の中心軸３１５（図２（Ａ）参照）回りに対称な凸曲面状となっている。なお、中心軸３１５は、表面３１３の中心３１４における表面３１３の法線方向の直線である。そのため、凸面鏡３１の表面３１３には、凸面鏡３１の前方に位置している被写体が縮小して表示される。なお、後述する画角相当範囲５０に、カメラ装置２０の画角７０内の領域７１を写すことができるように、凸面鏡３１の凸曲面の度合いが設定されている。
【００３０】
凸面鏡３１の大きさ（表面３１３の面積）は、カメラ装置２０（筐体２１）の前面２１１より少し大きくなっている（例えば、名刺サイズと同等の大きさ）。詳細には、凸面鏡３１の横方向の長さ（凸面鏡３１の外周線のうち上下の線３１６（図２（Ｂ）参照）の長さ）は、カメラ装置２０の横方向の長さ（前面２１１の外周線のうち上下の線２１２（図１参照）の長さ）より少し長くなっている。同様に、凸面鏡３１の縦方向の長さ（凸面鏡３１の外周線のうち左右の線３１７（図２（Ｂ）参照）の長さ）は、カメラ装置２０の縦方向の長さ（前面２１１の外周線のうち左右の線２１３（図１参照）の長さ）より少し長くなっている。なお、凸面鏡３１は、凸面鏡に写っている被写体をユーザが確認できることを条件にどのような形状、大きさでも良く、例えば正面視で正方形状、円状、楕円状でも良い。
【００３１】
図２（Ｂ）に示すように、凸面鏡３１の表面３１３には、略長方形状のガイド線４０がインク等で描かれている。なお、実際は、ガイド線４０は、表面３１３の凸曲面の度合いに応じて長方形状が歪んだ形状となっている。ガイド線４０は３つのガイド線４１〜４３を含む。それらガイド線４１〜４３は、互いに大きさが異なる（相似する）形状となっており、第１のガイド線４１の内側に第２のガイド線４２が描かれており、第２のガイド線４２の内側に第３のガイド線４３が描かれている。第１のガイド線４１で囲まれた第１の範囲５１の中心と、第２のガイド線４２で囲まれた第２の範囲５２の中心と、第３のガイド線４３で囲まれた第３の範囲５３の中心とは互いに一致している。また、各範囲５１〜５３の中心は、表面３１３の中心３１４に位置している。
【００３２】
ガイド線４０（ガイド線４１〜４３）は、カメラ装置２０の画角７０（図１参照）に相当する画角相当範囲を示した線とされている。つまり、ガイド線４０で囲まれた範囲５０（範囲５１〜５３）が画角相当範囲である。画角相当範囲５０は、厳密には画角７０内の撮影領域７１（図１参照）に相当する範囲とされ、より厳密には、カメラ装置２０からの距離が特定距離における画角７０内の面に相当する範囲とされている。具体的には、第１の画角相当範囲５１は、カメラ装置２０からの距離がｄ１における画角７０内の面７０１（図１参照）に相当する範囲に定められている。より具体的には、第１の画角相当範囲５１は、カメラ装置２０の水平画角に相当する２つの水平ガイド線４１ａ及びカメラ装置２０の垂直画角に相当する２つの垂直ガイド線４１ｂで囲まれている。そして、水平ガイド線４１ａが面７０１の横幅ａ１（図１参照）に相当する長さに定められ、垂直ガイド線４１ｂが面７０１の縦幅ａ２に相当する長さに定められている。なお、２つの水平ガイド線４１ａは、互いに対向しており、凸面鏡３１の外周線の上下の線３１６に略平行に描かれている。２つの垂直ガイド線４１ｂは、互いに対向しており、凸面鏡３１の外周線の左右の線３１７に略平行に描かれている。
【００３３】
第２の画角相当範囲５２は、カメラ装置２０からの距離がｄ２における画角７０内の面７０２（図１参照）に相当する範囲に定められている。その第２の画角相当範囲５２も、第１の画角相当範囲５１と同様にカメラ装置２０の水平画角に相当する２つの水平ガイド線４２ａ（面７０２の横幅に相当する長さ）及びカメラ装置２０の垂直画角に相当する２つの垂直ガイド線４２ｂ（面７０２の縦幅に相当する長さ）で囲まれた範囲となっている。２つの水平ガイド線４２ａは、互いに対向しており、凸面鏡３１の外周線の上下の線３１６に略平行に描かれている。２つの垂直ガイド線４２ｂは、互いに対向しており、凸面鏡３１の外周線の左右の線３１７に略平行に描かれている。
【００３４】
第３の画角相当範囲５３は、カメラ装置２０からの距離がｄ３における画角７０内の面７０３（図１参照）に相当する範囲に定められている。その第３の画角相当範囲５３も、カメラ装置２０の水平画角に相当する２つの水平ガイド線４３ａ（面７０３の横幅に相当する長さ）及びカメラ装置２０の垂直画角に相当する２つの垂直ガイド線４３ｂ（面７０３の縦幅に相当する長さ）で囲まれた範囲となっている。２つの水平ガイド線４３ａは、互いに対向しており、凸面鏡３１の外周線の上下の線３１６に略平行に描かれている。２つの垂直ガイド線４３ｂは、互いに対向しており、凸面鏡３１の外周線の左右の線３１７に略平行に描かれている。
【００３５】
なお、カメラ装置２０の画角７０内に顔が収まっていたとしても、その顔位置が画角７０のぎりぎりの位置の場合には、撮影画像から顔領域の検出に失敗する場合がある。そこで、各画角相当範囲５１〜５３を、画角７０のぎりぎりの位置を除いた範囲に設定しても良い。具体的には、各画角相当範囲５１〜５３を、面７０１〜７０３をいくらか小さくした面（例えば、面７０１〜７０３を２０％程度小さくした面）に相当する範囲に設定しても良い。
【００３６】
距離ｄ１、ｄ２、ｄ３の関係は、ｄ１＞ｄ２＞ｄ３となっている。距離ｄ１、ｄ２、ｄ３は、カメラ装置２０と被写体（運転者の顔）との想定される距離を示しており、距離ｄ１は例えば１ｍ、距離ｄ２は例えば８０ｃｍ、距離ｄ３は例えば６０ｃｍとなっている。そのため、第１のガイド線４１は、カメラ装置２０と被写体（運転者の顔）との距離レンジが大きい場合に使用するガイド線とされる。また、第２のガイド線４２は、その距離レンジが中間の場合に使用するガイド線とされる。また、第３のガイド線４３は、その距離レンジが小さい場合に使用するガイド線とされる。なお、ｄ１＝１ｍ程度としたとき、面７０１の大きさは例えば横８０ｃｍ×縦６０ｃｍ程度とされている。
【００３７】
図２（Ａ）、（Ｃ）に示すように、凸面鏡３１の基材３１２の裏面には、裏側構造体３２が接着剤等で取り付けられている。その裏側構造体３２の外形は、凸面鏡３１と同じ横幅、同じ縦幅を有し、奥行き方向に一定幅を有した直方体状となっている。裏側構造体３２は発泡スチロール等の発泡樹脂で形成されている。図２（Ｃ）に示すように、裏側構造体３２の裏面３２１には直方体状に凹んだ凹部３２２が形成されている。その凹部３２２の上下の側面３２４と、凸面鏡３１に描かれた水平ガイド線４１ａ〜４３ａとは平行な位置関係になっている（ねじれの位置関係とはなっていない）。凹部３２２の左右の側面３２５と垂直ガイド線４１ｂ〜４３ｂとは平行な位置関係になっている（ねじれの位置関係とはなっていない）。また、凹部３２２の底面３２３の中心３２６には凸面鏡３１の中心軸３１５が交差している。
【００３８】
凹部３２２の大きさは、カメラ装置２０の筐体２１の横幅、縦幅と同じ大きさとなっている。すなわち、凹部３２２の横幅ｂ１は、筐体２１の前面２１１の外周線の上下の線２１２（図１参照）の長さと同じになっている。凹部３２２の縦幅ｂ２は、筐体２１の前面２１１の外周線の左右の線２１３（図１参照）の長さと同じになっている。また、凹部３２２の深さｂ３は、筐体２１の奥行き方向の幅よりも小さくなっている。
【００３９】
なお、凹部３２２の底面３２３は、裏側構造体３２自身で構成されていても、凸面鏡３１の基材３１２の裏面で構成されていたとしても良い。その底面３２３の一部の領域（例えば底面３２３の外周付近の領域）には粘着テープ等の粘着部材３３が設けられている。その粘着部材３３は、粘着部材３３の粘着面を保護する保護シートを含み、カメラ装置用器具３０の不使用時には、その保護シートによって粘着面が露出しないようになっている。なお、粘着部材３３は側面３２４、３２５に設けられたとしても良い。また、粘着部材３３は、予め凹部３２２に設けられていなくても良く、カメラ装置用器具３０の使用時に凹部３２２又は適当な位置に設けられるようにしても良い。
【００４０】
以下では、カメラ装置用器具３０の使用方法を説明するが、その説明の前に先ずカメラ装置２０の取り付け位置を説明する。ここで、図３は、カメラ装置２０の取り付け位置を説明する図であり、具体的には、図３（Ａ）はカメラ装置２０が搭載される車両１００の車室１０１を横から見た図を示しており、図３（Ｂ）は車室１０１を上から見た図を示している。なお、図３の例では、車両１００として大型車両（トラック）を示している。図３（Ａ）に示すように、車室１０１には、運転者が着座する運転席１０２が設けられ、その運転席１０２の前方にはハンドル２０１やダッシュボード１０３が設けられている。カメラ装置２０は、運転者の顔ｆを撮影するために、例えばダッシュボード１０３上に取り付けられる。なお、図３の例では、カメラ装置２０によって運転者の視野が妨げられないように、カメラ装置２０は運転者の斜め前方に取り付けられている（図３（Ｂ）参照）。カメラ装置２０は、アフターマーケット品など任意の場所に取り付け可能なものとされている。
【００４１】
図３の例では、カメラ装置２０は、支持部２３に支持される形で、ダッシュボード１０３に取り付けられている。支持部２３の下部はダッシュボード１０３上に粘着シール等で固定されている。カメラ装置２０と支持部２３の間には、カメラ装置２０の取り付け方向を上下左右に可変とさせる方向可変機構２４（図３（Ａ）参照）が設けられている。よって、カメラ装置２０は、上下方向Ｄ１（図３（Ａ）参照）及び左右方向Ｄ２（図３（Ｂ）参照）に手動で向きが変えられるようになっている。その方向可変機構２４として、ポータブルナビ等で採用されている、取り付け方向を変えることができる公知の機構を採用することができる。
【００４２】
カメラ装置２０は、運転者の顔ｆが画角７０内に収まるように取り付けられる必要がある。すなわち、カメラ装置２０の上下方向Ｄ１を調整して、顔ｆがカメラ装置２０の垂直画角７２（図３（Ａ）参照）内に収まるようにし、かつ、カメラ装置２０の左右方向Ｄ２を調整して、顔ｆがカメラ装置の水平画角７３（図３（Ｂ）参照）内に収まるようにする必要がある。また、運転者の運転動作（ハンドル操作など）にともなって顔ｆが変動することがあるので、カメラ装置２０の取り付け方向はその顔ｆの変動を見越して調整される必要がある。
【００４３】
カメラ装置用器具３０は、カメラ装置２０の取り付け方向を調整するときに、カメラ装置２０に装着される形で使用される。ここで、図４は、カメラ装置用器具３０のカメラ装置２０への装着方法や装着位置を説明する図であり、図４（Ａ）は、装着途中におけるカメラ装置２０及びカメラ装置用器具３０の状態を示しており、図４（Ｂ）は、装着後におけるカメラ装置２０及びカメラ装置用器具３０の状態を示している。なお、図４では、１つのガイド線４０のみ図示して、残りのガイド線の図示を省略している。カメラ装置用器具３０は、カメラ装置２０の前面２１１を覆うように、カメラ装置２０に装着される。詳細には、カメラ装置用器具３０の凹部３２２（図２（Ｃ）参照）に、カメラ装置２０の筐体２１の前面２１１からの一部が嵌められる。このとき、筐体２１の側面２１４（筐体２１の上面、左面、右面、底面）と、凹部３２２の側面３２４、３２５（図２（Ｃ）参照）とが接触することで、カメラ装置用器具３０が掛止される（カメラ装置用器具３０が位置決めされる）。また、凹部３２２の底面３２３に設けられた粘着部材３３によって、底面３２３と筐体２１の前面２１１とを固定できるようになっている。つまり、カメラ装置用器具３０がカメラ装置２０から不用意に外れないようになっている。なお、粘着部材３３は、カメラレンズ２２や近赤外ＬＥＤ２３が接触する部分には設けられていない。そのため、厳密には、凹部３２２の底面３２３の一部（例えば底面３２３の外周付近の部分）と、前面２１１の一部（例えば前面２１１の外周付近の部分）とが、粘着部材３３によって固定される。
【００４４】
また、凹部３２２が上記のように構成されることで、カメラ装置２０の光軸２５と凸面鏡３１の中心軸３１５とが同軸になるように、凸面鏡３１が配置される。別の言い方をすると、凸面鏡３１の画角相当範囲５０が、カメラ装置２０の撮影方向に向き、カメラレンズ２２の前にて、レンズ面２２１に対して傾きの無い状態で配置される。厳密には、画角相当範囲５０の中心３１４がカメラレンズ２２（レンズ面２２１の中心）の前の位置に配置される。さらに、水平ガイド線４１ａ〜４３ａが水平画角７３（図３（Ｂ）参照）の向きと同じ水平方向に配置され、垂直ガイド線４１ｂ〜４３ｂが垂直画角７２（図３（Ａ）参照）の向きと同じ垂直方向に配置される。これによって、画角相当範囲５０に、現在の取り付け方向におけるカメラ装置２０の画角７０内の現在の撮影領域７４（図３参照）を写すことができる。
【００４５】
以上のようにしてカメラ装置用器具３０をカメラ装置２０に装着した後、ユーザ（カメラ装置２０の取り付けるディーラーやカー用品店の店員、又は運転者自身）は、運転席１０２に着座して、凸面鏡３１に写る自身の顔の位置に基づいて、カメラ装置２０の取り付け方向を調整する。このとき、ユーザは、カメラ装置２０と顔との距離を予め概算しておき、その距離に応じたガイド線４１〜４３を使用する。具体的には、ユーザは、例えば、カメラ装置２０と顔との距離が１ｍ程度の場合には、一番大きい画角相当範囲５１を示した第１のガイド線４１を使用し、その距離が８０ｃｍ程度の場合には中間の大きさの画角相当範囲５２を示した第２のガイド線４２を使用し、その距離が６０ｃｍ程度の場合には一番小さい画角相当範囲５３を示した第３のガイド線４３を使用する。なお、カメラ装置２０と顔との距離がどの場合にどのガイド線４１〜４３を使用すれば良いかは、例えば、カメラ装置用器具３０の取り扱い説明書等に記載しておけばよい。
【００４６】
ここで、図５は、凸面鏡３１に、カメラ装置２０の取り付け方向を調整するユーザの顔１０５が写っている状態を示している。なお、図５では、第１のガイド線４１を使用するとして、その第１のガイド線４１を図示し、その他のガイド線４２、４３の図示を省略している。また、図５では、顔１０５以外の被写体の表示を省略している。カメラ装置２０の取り付け方向を調整する手順として、例えば、先ず停車状態で適正なドライビングポジションを取ったときに画角相当範囲５１の中心３１４付近に顔１０５が写るように、カメラ装置２０の取り付け方向を調整する。その後、ユーザは、実際の運転を模擬した動作を行い（又は実際の運転を行い）、顔位置が変動しても顔１０５が画角相当範囲５１から外れないか否かを目視で確認する。画角相当範囲５１から顔１０５が外れる場合（顔１０５の一部でも外れる場合）には、カメラ装置２０の取り付け方向を微調整して、再度、実際の運転を模擬した動作を行い、顔１０５が画角相当範囲５１から外れないか否かを確認する。以上の手順を、顔１０５が画角相当範囲５１から外れないようになるまで繰り返す。これによって、運転動作にともなって運転姿勢が変わった場合でも運転者の顔を画角７０内に収めることができる。つまり、カメラ装置２０の取り付け方向を適正にできる。
【００４７】
カメラ装置用器具３０は、カメラ装置２０の取り付け方向の調整時に使用され、カメラ装置２０を実際の撮影用途で使用する場合には取り外される。ユーザは、カメラ装置２０の取り付け方向を調整し終えたときには、粘着部材３３の粘着力よりも大きい力でカメラ装置用器具３０を手前に引くことで、カメラ装置用器具３０をカメラ装置２０から取り外すことができる。これによって、カメラ装置２０を実際の撮影用途で使用できる。
【００４８】
以上説明したように、本実施形態では、カメラ装置２０の取り付け時、又は実際の運転時に、カメラ装置用器具３０をカメラ装置２０に装着することで、専用設備が無い場所（ディーラやカー用品店など）でも簡単にカメラ装置２０の取り付け方向を適正にできる。また、カメラ装置用器具３０には粘着部材３３が設けられているので、簡単に、カメラ装置用器具３０をカメラ装置２０に固定できるとともに、カメラ装置２０から取り外すことができる。また、カメラ装置用器具３０には、カメラ装置２０の筐体２１に合った形状の凹部３２２を有した裏側構造体３２が形成されているので、簡単に、カメラ装置用器具３０を適正な装着位置に位置決めできる。また、裏側構造体３２によって、凸面鏡３１を補強できる。よって、凸面鏡３１の基材３１２を、強度の弱い部材（紙など）で簡便に構成できる。また、裏側構造体３２は発泡樹脂で形成されているので、カメラ装置用器具３０をカメラ装置２０に装着したときにカメラ装置２０を傷つけてしまうのを防止できる。
【００４９】
また、凸面鏡３１には複数のガイド線４１〜４３が描かれているので、カメラ装置２０と顔との距離を異にする様々な条件（異なる車種、同一車種であっても異なる取り付け位置）でカメラ装置２０を取り付ける場合であっても、カメラ装置２０の取り付け方向を適正にできる。
【００５０】
なお、本発明のカメラ装置用器具は上記実施形態に限定されるものではなく、特許請求の範囲の記載を逸脱しない限度で種々変更することができる。例えば、凸面鏡の裏面に設けられる裏側構造体は、凸面鏡を適正な装着位置に位置決めできるのであればどのような形状であっても良く、例えば図６に示す形状であっても良い。この図６は、裏側構造体の変形例を説明する図であり、図６（Ａ）はカメラ装置用器具３０を斜め後方から見た図であり、図６（Ｂ）は、カメラ装置用器具３０をカメラ装置２０に装着した状態を示している。なお、図６では、上記実施形態と同一名称の構成には同一符号を付している。
【００５１】
図６の裏側構造体３２は、凸面鏡３１の裏面３１８から後方に突出した断面Ｌ形の４つの凸状部３２７を備えている。各凸状部３２７は、カメラ装置２０の前面２１１の四隅の位置に対応した位置、すなわち凸面鏡３１の裏面３１８の四隅付近に設けられている。なお、凸状部３２７は、上記実施形態と同様に発泡樹脂（発泡スチロール等）で構成することができる。また、凸面鏡３１の裏面３１８には粘着部材３３が設けられている。図６（Ｂ）に示すように、凸面鏡３１が上記実施形態と同じ所定の装着位置に配置されたときに、各凸状部３２７が筐体２１に丁度嵌るようになっている。詳細には、各凸状部３２７の内面３２７ａが、筐体２１の側面２１４の４つの角部（上面と左面とが交差する部分、上面と右面とが交差する部分、底面と左面とが交差する部分、底面と右面とが交差する部分）に掛けられる（接触する）。そして、粘着部材３３によって、凸面鏡３１と筐体２１とが固定される。このように、図６の裏側構造体３２によっても、凸面鏡３１を適正な装着位置に簡単に位置決めできる。また、図２の裏側構造体３２に比べて裏側構造体３２をコンパクトにできる。
【００５２】
また、裏側構造体は図７に示す形状であっても良い。この図７は、裏側構造体の別の変形例を説明する図であり、詳細にはカメラ装置用器具３０を斜め後方から見た図である。なお、図７では、上記実施形態と同一名称の構成には同一符号を付している。図７の裏側構造体３２は、図２（Ｃ）の裏側構造体３２において凹部３２２が形成されていない形状、すなわち直方体状となっている。裏側構造体３２の裏面３２１には、図２（Ｃ）の凹部３２２と同じ位置に裏面側ガイド線３２８がインク等で描かれている。その裏面側ガイド線３２８は、カメラ装置２０の前面２１１の外周線２１２、２１３（図１参照）と同じ形状となっている。また、裏面側ガイド線３２８の内側には粘着部材３３が設けられている。
【００５３】
図７のカメラ装置用器具３０をカメラ装置２０に装着するときには、裏面側ガイド線３２８を前面２１１の外周線２１２、２１３の位置に合わせる。裏面側ガイド線３２８と外周線２１２、２１３との位置が合った状態で、凸面鏡３１が上記実施形態と同じ位置（適正配置位置）に配置されるようになっている。この状態で、粘着部材３３によって凸面鏡３１と筐体２１とが固定される。このように、図７の裏側構造体３２によっても、凸面鏡３１が適正配置位置に配置されるように簡単に位置決めできる。また、図２、図６の裏側構造体３２に比べて、簡単に、裏側構造体を形成することができる。また、図２、図６の裏側構造体３２に比べて凸面鏡３１を強く補強できる。なお、図７の裏側構造体３２を省略して、凸面鏡３１の裏面に直接、位置決め用の裏面側ガイド線３２８を描いても良い。これによって、カメラ装置用器具の構造を簡素にできる。なお、外周線２１２、２１３が本発明の「所定の基準位置」に相当する。なお、裏面側ガイド線は、外周線２１２、２１３以外のカメラ装置２０の位置（例えばカメラレンズ２２の位置）に合わせる線とされていても良い。
【００５４】
また、上記実施形態では、凸面鏡に３つのガイド線が描かれた例を示したが、ガイド線の個数は３つに限定されない。ガイド線を３つより多くすれば、より一層様々な距離（カメラ装置と顔との距離）の条件で、カメラ装置の画角内に顔が収まるか否かを判断できる。また、複数のカメラ装置用器具を設けて、各カメラ装置用器具には、互いに異なる距離レンジの１つのガイド線を描くようにしても良い。これによって、今回の距離に応じたガイド線を有したカメラ装置用器具を使用することで、カメラ装置の画角内に顔が収まるか否かを判断できるとともに、１つしかガイド線が描かれていないので凸面鏡に写る被写体を見やすくできる。
【００５５】
なお、上記実施形態において、裏側構造体３２が本発明の「補強部材」に相当する。凹部３２２、凸状部３２７が本発明の「ガイド部」及び「掛止部」に相当する。
【符号の説明】
【００５６】
２０  カメラ装置
２１  カメラ装置の筐体
２１１  筐体の前面
２２  カメラレンズ
２２１  レンズ面
２５  カメラ装置の光軸
３０  カメラ装置用器具
３１  凸面鏡
３１３  凸面鏡の表面
３１４  凸面鏡の中心
３１５  凸面鏡の中心軸
３１８  凸面鏡の裏面
３２  裏側構造体
３２２  凹部
３２７  凸状部
３２８  裏面側ガイド線
３３  粘着部材
４０、４１〜４３  ガイド線
４１ａ、４２ａ、４３ａ  水平ガイド線
４１ｂ、４２ｂ、４３ｂ  垂直ガイド線
５０、５１〜５３  画角相当範囲
７０  カメラ装置の画角
７１、７４  画角内の領域
７２  垂直画角
７３  水平画角
７０１〜７０３  画角内の面
１０５  顔
【図１】
2013095195.tif 000003
【図２】
2013095195.tif 000004
【図３】
2013095195.tif 000005
【図４】
2013095195.tif 000006
【図５】
2013095195.tif 000007
【図６】
2013095195.tif 000008
【図７】
2013095195.tif 000009